(57)【特許請求の範囲】
【請求項１】
枠部材と脚フレームとを備え、
脚フレームは枠部材を略水平に支持し、
枠部材は当該枠部材と一体又は別体に、左右一対の載置フレームを有し、
左右一対の載置フレームはホテルパン類を起立状態に、且つ、左右一対の載置フレーム間に架け渡すように載置保持するための載置溝を有し、
載置溝はホテルパン類のつば部を差し込むためのものであり、
前記ホテルパン類は、方形の凹部と、当該凹部の上部から略水平に延在するつば部を有し、前記つば部は先端側外周部に凹部の底部側に一段下がった段差状の折り曲げ部を有し、
前記載置溝は溝の切り込み角度を垂直方向に対して所定の角度傾斜させて形成してあるとともに、溝の幅寸法は前記ホテルパン類のつば部の厚み相当又はそれよりも僅かに大きい寸法に設定され、且つ両側の溝壁のうち一方のみの上部を切り欠いた拡幅部になっており、
ホテルパン類の内側がやや斜め下方に向く方向のみに起立載置可能であることを特徴とするホテルパン類用ラック。
【請求項２】
前記左右一対の載置フレームの間であって、略平行に載置サブフレームを設けることで複数の大きさのホテルパン類を起立載置可能にしたことを特徴とする請求項１記載のホテルパン類用ラック。
【請求項３】
前記脚フレームの上部にラックを段重ね可能にしたことを特徴とする請求項１又は２に記載のホテルパン類用ラック。
【発明の詳細な説明】
【技術分野】
【０００１】
本発明はホテル，レストラン及び食堂等にて広く用いられているホテルパン及びこのホテルパンに類似する容器用のラックに関する。
【背景技術】
【０００２】
ホテル，レストラン及び食堂等においては、スチームコンベンション，スチームコンベンションオーブン等、過熱蒸気と組み合せて、蒸す，焼く，煮る，炊く，炒める等の多機能の調理器が普及しつつある。
また、オーブン，ウォーマーグリル等においても大型のものが普及している。
このような調理において食材を入れる，食材を調理する，バイキング等においてそのまま料理を入れる等の目的にてホテルパン類が使用されている。
ここでホテルパン類と表現したのは、ホテルパンとして国際規格化されている商品のみならず、方形の凹部の周囲につば部を有するガストロノームパン，バット，コンテナ等の容器も本発明に係るラックの対象とする趣旨である。
【０００３】
これまでホテルパン類のラックとしては横置きのものが広く使用されており、洗浄後に乾燥等する縦置きのラックがなかった。
例えば、特許文献１にＸ字状に開閉し、食器を立て掛ける食器乾かし器を開示し、特許文献２に水切りザルを載せた水切りスタンドを開示するが、いずれもホテルパン類に適用できるものではない。
【先行技術文献】
【特許文献】
【０００４】
【特許文献１】実開昭５８−１７１６６９号公報
【特許文献２】特開平８−１４０７６８号公報
【発明の概要】
【発明が解決しようとする課題】
【０００５】
本発明は、ホテルパン類を縦置きで収納できるラックの提供を目的とする。
また、軽量で持ち運びやすく、スタッキング（段重ね）が可能なホテルパン類用ラックの提供も目的とする。
【課題を解決するための手段】
【０００６】
本発明に係るホテルパン類用ラックは、枠部材と脚フレームとを備え、脚フレームは枠部材を略水平に支持し、枠部材は当該枠部材と一体又は別体に、左右一対の載置フレームを有し、左右一対の載置フレームはホテルパン類を起立状態に、且つ、左右一対の載置フレーム間に架け渡すように載置保持するための載置溝を有し、載置溝はホテルパン類のつば部を差し込むためのものであり、前記ホテルパン類は、方形の凹部と、当該凹部の上部から略水平に延在するつば部を有し、前記つば部は先端側外周部に凹部の底部側に一段下がった段差状の折り曲げ部を有し、前記載置溝は溝の切り込み角度を垂直方向に対して所定の角度傾斜させて形成してあるとともに、溝の幅寸法は前記ホテルパン類のつば部の厚み相当又はそれよりも僅かに大きい寸法に設定され、且つ両側の溝壁のうち一方のみの上部を切り欠いた拡幅部になっており、ホテルパン類の内側がやや斜め下方に向く方向のみに起立載置可能であることを特徴とする。
【０００７】
ホテルパン類としたのは上述したとおり、方形の凹部の周囲につば部を有する容器を対象とする趣旨であり、ステンレス製，樹脂製等の材質にも制限がない。
ホテルパンは外形寸法が５３０ｍｍ×３２５ｍｍのものを１／１サイズとし、２／１サイズ（６５０×５３０），２／３サイズ（３５３×３２５），１／２サイズ（３２５×２６５），Ｌ１／２サイズ（５３０×１６３）、以下１／３，１／４，１／６，１／９，１／１２サイズ等、規格化されている。
これらのホテルパン類は平面視で方形の凹部の上部から略水平に延在するつば部と、このつば部の先端側外周部が段状に一段下がるように折り曲げた折り曲げ部を有する。
そこで本発明に係るラックは、このつば部を利用して縦置きにしたものである。
【０００８】
本発明で枠部材とは左右一対に載置フレームを形成するためのものであり、４本のバー部材を方形又はＨ字形状等に溶接等にて連結した枠状になっている。
載置フレームは４本のバー部材のうち、対向する２本のバー部材に一体的に形成してもよく、この対向するバー部材に別のフレーム部材を溶接等にて連結することで形成してもよい。
脚フレームはホテルパンを起立状態に縦置きし、水切り乾燥しやすいように枠部材（載置フレーム）を略水平に支持するためのものであり、上記枠部材のうち載置フレームを形成又は連結したバー部材以外の残りの対向するバー部材にそれぞれ脚フレームを連結するのが好ましい。
この場合に脚フレームの形状を略逆Ｕ字形状にし、枠部材の前後それぞれのバー部材に沿って左右方向に連結するのが好ましい。
このように前後一対の脚フレームを対向して設けると、略逆Ｕ字形状の下端が脚先部になり、上部が持ち運び時に掴みやすくなる。
【０００９】
なお、本明細書では載置フレームに沿った両端方向を前後方向と表現し、この載置フレームと直交する方向（対向方向）を左右方向と表現する。
本発明で枠部材，載置フレーム及び脚フレームの材質に制限はない。
例えば、アルミ，ステンレス，鉄製等が例として挙げられる。
これらの部材をアルミニウム合金の押出材を用いて、溶接接合する工法を採用してもよく、このような工法を採用すると、軽量で持ち運びやすく、錆にくい特徴を有し、溶接接合であれば、例えばビス等で連結した場合等に生じるビスの緩みといったトラブルがない。
【００１０】
ホテルパン類には上記のように大小複数のサイズがあることから、左右一対の載置フレームの間であって、略平行に載置サブフレームを設けることで複数の大きさのホテルパン類を起立載置可能にしてもよい。
また、載置溝は溝の切り込み角度を垂直方向に対して所定の角度傾斜させてあり、ホテルパン類の内側がやや斜め下方に向くように起立載置するものであってもよい。
さらには、左右一対の載置フレームに形成した載置溝は溝開口部に開口幅が広くなった溝拡幅部を有することで、ホテルパン類のつば部を差し込みやすくしてもよい。
ホテルパン類のつば部は先端部に段差の浅い折り返し部を有するので、この載置溝につば部の表面が掛止するが、裏面が掛止しない厚みに設定するとホテルパン類を一定の方向にのみ縦置き可能にすることもできる。
【００１１】
本発明は脚フレームの上部に別のラックを段重ね（スタッキング）可能にすることもできる。
【発明の効果】
【００１２】
本発明に係るラックはホテルパン類を縦置きに収納できるので、水切りがよくホテルパン類の保管の省スペース化を図るのにも有効である。
また、載置フレームの間に載置サブフレームを設けると、大小異なるホテルパン類を同時に収納することもできる。
さらには、脚フレームを用いて持ち運びが容易で段重ねもでき、台車に載せて運ぶこともできる。
【図面の簡単な説明】
【００１３】
【図１】本発明に係るラックの構造例を示す。（ａ）はラックに３種類の大きさのホテルパンを縦置きした状態を示し、（ｂ）は部分拡大図を示す。
【図２】ホテルパンを載置していない状態を示し、（ａ）は全体図、（ｂ）は部分拡大図を示す。
【図３】（ａ），（ｂ）はホテルパンの凹部（内側）が斜め下側に向くように、つば部を載置溝に差し込む状態を示し、（ｃ）は載置溝の平面視を示す。（ｄ），（ｅ）はホテルパンの凹部が斜め上側に向くように逆にしてつば部を載置溝に差し込んだ状態を示し、（ｆ）はその時の載置溝の平面視を示す。
【図４】ラックを２段に重ねた状態を示す。
【図５】ラックを３段に重ねた状態を示す。
【図６】ラックのスタッキング構造例を示す。（ａ）はスタッキング金具で固定する前、（ｂ）はその固定後を示す。
【図７】スタッキングの手順を示す。（ａ）は上側のラックの脚フレーム上面に上側のラックのスタッキング用フレームを重ねた状態、（ｂ）はスタッキング金具のＬ字部を弾性変形させた状態、（ｃ）はスタッキング金具で固定した状態を示す。
【図８】ラックの下部と上部の前後方向、寸法関係を示す。（ａ）はラックの前後方向の断面図、（ｂ）はスタッキングした状態の部分拡大図を示す。
【図９】２段にラックを積み重ねた状態の断面図を示す。
【図１０】ホテルパンの表面（凹部）から見た状態を示す。（ａ）は全体図、（ｂ）は部分拡大図を示す。
【図１１】ラックを台車に載せた状態を示す。
【図１２】ホテルパンの例を示す。（ａ）は斜視図、（ｂ）は側面図、（ｃ）は部分断面図を示す。
【図１３】略コ字形状のスタッキング金具の例を示し、（ａ）は斜視図、（ｂ）〜（ｄ）は固定操作の流れを示す。
【図１４】略コ字形状のスタッキング金具で段重ねした状態を示す。
【発明を実施するための形態】
【００１４】
本発明に係るラック１０の構造例を以下、図面に基づいて説明するが本発明はこの実施例に限定されるものではない。
【００１５】
ホテルパン１は図１２に示すように、食材や料理を入れる平面視で方形の凹部１ｄの上面側であって、周囲に水平方向に延在したつば部１ａを全長にわたって有する。
ステンレスを用いて製作したものが多いが、近年樹脂成形したものもある。
つば部１ａの先端側は段状になるように一段下がった折り曲げ部１ｂを有する。
従って、つば部１ａの表面と一段下がった折り曲げ部１ｂをプレス等にて成形したことにより、つば部１ａの裏面には、くぼみ部１ｃが形成されているものが多い。
【００１６】
大きさの異なるホテルパン１，２，３をラック１０に起立状態に縦置きした例を図１に示し、ラックのみの状態を図２に示す。
ラック１０は前後方向の２本のバー部材１１ａ，１１ｂと左右のバー部材１１ｃ，１１ｄを枠形状に溶接した枠部材１１を製作し、本実施例では左右のバー部材１１ｃ，１１ｄに断面略コ字形状の載置フレーム１３，１３を溶接にて連結した。
左右一対の載置フレーム１３，１３の間には、断面Ｌ字形状の載置サブフレーム１４，１４を載置フレーム１３と平行に設けた。
なお、本実施例はホテルパンのサイズ１／１，２／３，１／２，Ｌ１／２，１／３及び１／４に対応でき、１／２サイズ等の小さいサイズのホテルパンは２列に載置できるように載置サブフレーム１４を２本設けた例になっているが、載置サブフレームの本数は対象とするホテルパンのサイズの種類に応じて間隔や本数が選定される。
左右の載置フレーム１３は、内部が前後方向にわたって中空部を形成するように幅寸法ｗの断面略コ字形状になっている。
この幅寸法ｗの間に、縦置きするホテルパンのつば部１ａが位置するように載置溝１３ａを複数有する。
載置溝１３ａの構造例を図３に示す。
ホテルパン１ａの凹部１ｄが斜め下方に向いた状態に縦置きすると水切りがよくなる。
そこで、載置フレーム１３の上端からの切り込み角度を垂直に対してθ＝５〜１５°傾け、溝の底部の幅寸法ｄを段状の折り曲げ部１ｂを形成したつば部１ａの厚み相当、あるいは僅かに大きい寸法にした。
なお、載置溝１３ａの開口部側は、上部の溝幅を広くした溝拡幅部１３ｂを形成することで、ホテルパンのつば部１ａを差し込みやすくしてある。
左右一対の載置フレーム１３，１３の載置溝１３ａをこのように設計したことにより、図３（ｂ）に側面視及び図３（ｃ）に平面視を示すように載置溝１３ａの間につば部１ａの表面側と折り曲げ部１ｂの裏面側とが挟まれるように差し込まれるので、ホテルパンは所定の角度で縦置きされる。
本実施例では斜めに切り込んだ溝壁のうち、図３にて左側に位置する下側の溝壁のみを切り欠いて拡幅したことにより、次の効果がある。
図３（ｄ）〜（ｆ）に示すようにホテルパン１の凹部１ｄが斜め上を向くようにつば部１ａを差し込むと、ホテルパンのつば部１ａの裏面側のくぼみ部１ｃが溝の壁に引っ掛からず、倒れ込むように作用する。
これにより、ホテルパンは表面の凹部がやや斜め下方に向く、正常な状態にのみ縦置きできる。
なお、載置サブフレーム１４の載置溝１４ａは、小さなサイズからなるホテルパンの片方のつば部を差し込むようにすればよいので、断面Ｌ字形状の例になっている。
これにより、ホテルパンの裏面から見た図１、及びホテルパンの表面から見た図１０に示すように、大きいサイズのホテルパン１は左右一対の載置フレーム１３，１３間に架け渡すように起立状態に縦置きでき、小さなサイズのホテルパン２，３は、載置フレーム１３と載置サブフレーム１４との間に架け渡すようにして縦置きできる。
【００１７】
枠部材１１の前後方向のバー部材１１ａ，１１ｂに略逆Ｕ字形状の脚フレーム１２，１２をそれぞれ溶接にて連結してある。
前後方向一対の脚フレーム１２，１２は、上部の中央部間を連結フレーム１６にて連結してある。
このように、一対の脚フレーム１２，１２の間を連結フレーム１６にて連結すると、ラックの剛性が向上し、好ましいが、連結する位置は、脚フレームの上部の中央部間に限定されない。
また、脚フレーム１２と例えば、枠部材１１等との間に補強部材を取り付け、ラックの剛性を確保することで、上記連結フレーム１６がない構造でも良い。
脚フレーム１２は、下端に脚先１２ａ，１２ａを有し、上部が水平になった段重ね部１２ｂを有する逆Ｕ字形状で、脚先１２ａ，１２ａの間に下側のラックの段重ね部１２ｂが納まるように上部の左右方向幅が下端よりも狭くなっている。
これにより、図４に二段重ね状態、図５に三段重ね状態を示すようにスタッキングできる。
【００１８】
本実施例では、スタッキング状態を固定できるようにスタッキング金具を取り付けた例になっている。
図７及び図８に示すように、脚フレーム１２の下部にスタッキング用フレーム１５を水平方向に連結し、このスタッキング用フレーム１５に樹脂製の保護カバー１５ａを取り付けてある。
この保護カバーは必ずしも必要でないが、保護カバー１５ａを取り付けることでスタッキング金具によるキズがつきにくくなる。
図４に示すように下側のラック１０ｂの段重ね部１２ｂに上側のラック１０ａのスタッキング用フレーム１５を重ねる。
この状態を図７（ａ）に示す。
この状態を連結フレーム１６の両端部に軸着したスタッキング金具１７を用いて固定する。
スタッキング金具１７は弾性変形するＬ字形状の本体部１７ａの一方を軸着部１７ｂで連結フレーム１６に軸着し、他端にはＬ字形状の内側に折り曲げた引っ掛け部１７ｃを有する。
これにより図７（ｂ），（ｃ）に示すように、スタッキング金具１７をスタッキングフレーム１５の内側に回動させることで固定できる。
本実施例では、図８に示すように両側の脚フレーム１２の脚先部の間隔Ｌ２よりも上端の間隔Ｌ１の方が少し大きくなるように設計することで、図８（ｂ）に示すように段重ねした際に枠部材１１のバー部材１１ａ、１１ｂが脚フレーム１２，１２の上端内側と干渉しないようになっている。
この状態を図９に示す。
【００１９】
本発明に係るラックは図１１に示すように、キャスター２１等を有する台車２０に載せて使用することもできる。
また、本実施例では枠部材１１，載置フレーム１３，脚フレーム１２，スタッキング用フレーム１５，サブ載置フレーム１４等の部材をアルミニウム合金押出材を用いて製作し、溶接にて連結した。
このようにすると、錆にくく軽量で持ち運びやすいラックになる。
【００２０】
本発明において段重ねしたラック同士のスタッキング方法に限定はなく、上記実施例の他に、例えば図１３（ａ）に示した略コ字形状の弾性材からなるスタッキング金具１１７を用いてもよい。
スタッキング金具１１７は断面略コ字形状の本体部１１７ａを有し、この本体部の両端部にそれぞれ先端部を筒状に折り曲げて形成した係止部１１７ｂと操作部１１７ｃを設けてある。
このスタッキング金具１１７を用いて固定する手順を、図１３（ｂ）〜（ｄ）に示し、スタッキング固定した状態を図１４に示す。
スタッキング金具１１７の一方の係止部、図１３（ｃ）では上側の係止部１１７ｂをスタッキング用フレーム１５の保護カバー１５ａに当てがうようにしつつ、下側の操作部１１７ｃを下側のラック１０ｂの段重ね部１２ｂの下側に沿って差し込む例である。
なお、図１４は連結フレーム１６の無い例を示したが、連結フレーム１６を設け、この連結フレームと干渉しない左右に少しずれた位置で、このスタッキング金具１１７を用いてスタッキングしても良い。
【符号の説明】
【００２１】
１          ホテルパン
２          ホテルパン
３          ホテルパン
１０        ラック
１１        枠部材
１２        脚フレーム
１３        載置フレーム
１３ａ      載置溝
１３ｂ      溝拡幅部
１４        載置サブフレーム
１４ａ      載置溝
１５        スタッキング用フレーム
１５ａ      保護カバー
１６        連結フレーム
１７        スタッキング金具
【図１】
0005912635.tif 000002
【図２】
0005912635.tif 000003
【図３】
0005912635.tif 000004
【図４】
0005912635.tif 000005
【図５】
0005912635.tif 000006
【図６】
0005912635.tif 000007
【図７】
0005912635.tif 000008
【図８】
0005912635.tif 000009
【図９】
0005912635.tif 000010
【図１０】
0005912635.tif 000011
【図１１】
0005912635.tif 000012
【図１２】
0005912635.tif 000013
【図１３】
0005912635.tif 000014
【図１４】
0005912635.tif 000015